(57)【要約】      （修正有）【課題】複式ギア、伝送ローラーとコンベアローラーの組合せ応用を利用し、一枚ずつの排出を自動的に完成するカードディスペンサーを提供する。【解決手段】カードディスペンサーは、機構台体、モーター２、１組の複式ギア、伝送ローラー４、１組のコンベアローラー５１、５２を備え、機構台体は、カードストック槽及び中隔板１２を備える。また、コンベアローラー５１、５２は、上、下ローラー５１、５２により組成し、モーター２を利用し複式ギアを駆動し、伝送ローラー４及びコンベアローラー５１、５２をそれぞれ連動する。こうしてカードストック槽内のカード６を一枚ずつ押し出し、一枚ずつ排出する作業を完成する。【選択図】図４
0003177002.tif 000002
【実用新案登録請求の範囲】
【請求項１】
カードディスペンサーは、機構台体、モーター、１組の複式ギア、伝送ローラー、１組のコンベアローラーを備え、
前記機構台体は、カードストック槽及び中隔板を備え、
前記モーターは、前記機構台体内に設置し、前記複式ギアの共軸ギアに結合し、前記モーターは、制御板に対応し、駆動或いは停止を制御され、
前記１組の複式ギアは、共軸ギア、及びそれぞれ両側に噛み合う第一受動ギア及び第二受動ギアにより構成し、前記共軸ギアにより、前記第一受動ギアと前記第二受動ギアの回転を同期に連動し、
前記伝送ローラーは、前記機構台体の中隔板下方に設置し、前記カードストック槽底部の最後の一枚のカードに接触し、前記複式ギアの第一受動ギアにより、前記伝送ローラーの回転を制御し、前記最後の一枚のカードを押して前進させ、
前記１組のコンベアローラーは、前記機構台体の中隔板の上下両側にそれぞれ設置し、これによりカードを挟持して押し、出口方向へと前進させ、下方のコンベアローラーは、前記複式ギアの第二受動ギアにより回転を制御され、上方のコンベアローラーは、自由に回転し、
前記構成部品により組成するカードディスペンサーは、前記モーターを利用し前記複式ギアを駆動し、前記伝送ローラー及び前記コンベアローラーを同期に連動し、
こうして、前記カードストック槽内のカードを一枚ずつ押し出すことを特徴とするカードディスペンサー。
【請求項２】
前記中隔板係には、２個の側板、及び壁板を結合し、こうして前記機構台体を形成し、
前記機構台体の上方には、カードストック槽を形成し、下方には、モーター、複式ギア、伝送ローラー、及び片方のコンベアローラーを収納し、
前記機構台体は、出口端に、カードを排出するパネルを結合し、
前記２個の側板外側にはさらに、保護蓋を結合することを特徴とする請求項１に記載のカードディスペンサー。
【請求項３】
前記複式ギアの共軸ギアは、直径が異なる２個のギアを備え、
２個の異なる直径を利用し、前記第一受動ギア及び前記第二受動ギアとそれぞれ噛み合うことを特徴とする請求項１に記載のカードディスペンサー。
【請求項４】
前記機構台体は、前記中隔板の中段位置に、第二センサーを設置し、
前記カードが、前記第二センサーを通過する時には、モーターの回転を停止する信号を自動的に発することを特徴とする請求項１に記載のカードディスペンサー。
【請求項５】
前記機構台体は、カード排出の最終行程に、第三センサーを設置し、
カードが前記第三センサーを通過する時には、前記モーターは回転を停止することを特徴とする請求項１に記載のカードディスペンサー。
【請求項６】
前記機構台体は、カード排出の最終行程に、抵抗ブロック片を設置し、
前記抵抗ブロック片を利用し、排出が完成されたカードを押さえ、これにより、その押さえた位置とカード出口との間には、わずかな高度落差を生じることを特徴とする請求項１に記載のカードディスペンサー。
【請求項７】
前記機構台体は、前記カードストック槽の側壁に、カード排出間隙を微調整できる高さ制限ガード板を設置し、
前記高さ制限ガード板は、調整ボルトにより、固定板に固定され、前記調整ボルトの回転を利用し、前記高さ制限ガード板の昇降を調整し、前記高さ制限ガード板と前記中隔板との間のカード排出間隙を改変することを特徴とする請求項１に記載のカードディスペンサー。
【請求項８】
前記機構台体は内部に、前方へとスイングする可動ブロック板を設置し、
これにより、カード通過後は、自動的にブロックを形成することを特徴とする請求項１に記載のカードディスペンサー。
【請求項９】
前記機構台体のカードストック槽は、２個の側板及び壁板により構成し、
前記２個の側板は共に壁縁の上、下端に、対応する係合槽、及びトレンチをそれぞれ設置し、
しかも、前記壁板上、下端の対応する位置には、２個の螺合ネジ、及び横棒をそれぞれ設置し、
前記横棒を、前記両側のトレンチ間に可動状に接続し、前記２個の螺合ネジを、前記２個の側板にそれぞれ螺合して結合することを特徴とする請求項１に記載のカードディスペンサーことを特徴とする請求項１に記載のカードディスペンサー。
【考案の詳細な説明】
【技術分野】
【０００１】
本考案はカードディスペンサーに関し、特に複式ギア、伝送ローラーとコンベアローラーの組合せ応用を利用し、一枚ずつの排出を自動的に完成するカードディスペンサーに関する。
【背景技術】
【０００２】
日常的に普及し、自動販売機が販売するテレフォンカード、アイドルカード、ベースボールカード、或いはゲームプリペイドカード等製品の厚みには、0.85mm、0.7mm、0.4mm或いは0.25mm等各種規格がある。
従来のカードディスペンサーは、複雑なギア伝動機構、及び弾性疲労が起き易い伝動ベルトを利用し、カード排出の目的を達成する。
【０００３】
従来のカードディスペンサーには、特許文献１の「自動カードコンベア機構」、及び特許文献１の「カード自動コンベア装置の改良」がある。
これらは共にコンベアベルトを利用しカードを送り出し、カード排出の目的を達成するものである。
しかし、コンベアベルトは、一定期間の使用後には弾性疲労が発生し、カードの送り出しがスムーズにいかなくなり、しかもカードが詰まる現象が起き易い。
また、従来のカードディスペンサーは、非常に複雑なギア伝動構造を備えるため、全体の組み立てが比較的複雑で、しかもコストが高い。
本考案は、従来のカードディスペンサーの上記した欠点に鑑みてなされたものである。
【先行技術文献】
【特許文献】
【０００４】
【特許文献１】中華民国実用新案第237972号
【特許文献２】中華民国実用新案第233837号
【考案の概要】
【考案が解決しようとする課題】
【０００５】
本考案が解決しようとする第一の課題は、機構台体、モーター、１組の複式ギア、伝送ローラー、１組のコンベアローラーを備え、機構台体は、カードストック槽及び中隔板を備え、コンベアローラーは上、下ローラーにより組成し、モーターを利用し複式ギアを駆動し、伝送ローラー及びコンベアローラーをそれぞれ連動し、これによりカードストック槽内のカードは一枚ずつ排出され、一枚ずつ排出する作業を完成し、この構造のカード排出の動作は非常に精確かつスムーズで、カード排出がスムーズにいかないという問題はなく、しかも全体配置及び構成部品を単純化でき、組み立ても容易で、コストを引き下げることができるカードディスペンサーを提供することである。
本考案が解決しようとする第二の課題は、機構台体はカードストック槽の底部に、可動スイングアーム及び第一センサーを備え、しかもカードストック槽は２個の側板及び壁板により構成し、壁板は２個の側板に可動状に接続し、これにより壁板は簡単にめくり開けられ、使用操作を単純化する効果を達成し、素手で迅速に開け、カード補充或いはメンテナンス作業を行うことができるため、しばしば取り外すことによる壁板の破損、或いは遺失を回避できるカードディスペンサーを提供することである。
本考案が解決しようとする第三の課題は、機構台体はカード排出の初期行程に第二センサーを設置し、カードが初期段階に第二センサーを通過する時には、自動的に信号を発し、これによりモーターは回転を停止しカード待ちスタンバイ状態を完成し、カード排出の信号を受信するとモーターは速やかに再起動し、カード排出の任務を完成し、カード排出後は再びカード待ちのスタンバイ状態に戻るカードディスペンサーを提供することである。
本考案が解決しようとする第四の課題は、機構台体はカード排出の最終行程に、第三センサーを設置し、カードが最終行程を通過する時には、コンベアローラーはカードに一定距離の押し出しを行い、カードに第三センサーを遮蔽させ、これによりモーターは回転を停止し、カード排出の作業を完成するカードディスペンサーを提供することである。
本考案が解決しようとする第五の課題は、機構台体はカード排出の最終行程に、抵抗ブロック片を設置し、抵抗ブロック片を利用しカードを押さえ、これによりその押さえた位置とカード出口との間には適当な高度落差を生じるため、カードが抵抗ブロック片を通過する時には、力を受けて押さえられ段差湾曲状態を呈するため、適当な抵抗力を自動的に発生し、これによりカードは出口位置に留まり、弾かれて地面に落下することはなく、使用者が自ら抜き取るのを待つことができるカードディスペンサーを提供することである。
本考案が解決しようとする第六の課題は、機構台体はカードストック槽の側壁にカード排出間隙を微調整できる高さ制限ガード板を設置し、さまざまな厚みのカード規格に対応し、高さ制限ガード板を微調整し、最適なカード排出間隙を達成することができるカードディスペンサーを提供することである。
【０００６】
上記課題を解決するため、本考案は下記のカードディスペンサーを提供する。
カードディスペンサー係機構台体、モーター、１組の複式ギア、伝送ローラー、１組のコンベアローラーを備え、
該機構台体は、カードストック槽及び中隔板を備え、
該コンベアローラーは、上、下ローラーにより組成し、
該モーターを利用し複式ギアを駆動し、該伝送ローラー及び該コンベアローラーをそれぞれ連動し、
こうして該カードストック槽内のカードを一枚ずつ押し出し、一枚ずつ排出する作業を完成することができる。
【考案の効果】
【０００７】
本考案のカードディスペンサーは、複式ギア、伝送ローラーとコンベアローラーの組合せ応用を利用し、一枚ずつの排出を自動的に完成する。
【図面の簡単な説明】
【０００８】
【図１】本考案の組合せ立体図である。
【図２】本考案の分解立体図である。
【図３】本考案の組合せ断面模式図である。
【図４】本考案において、カード排出前のスタンバイ状態を示す模式図である。
【図５】本考案において、カード排出進行中の動作模式図である。
【図６】本考案において、カード排出動作を完成した状態の模式図である。
【図７】本考案において、壁板を開いた時の状態を示す模式図である。
【考案を実施するための形態】
【０００９】
以下に図面を参照しながら本考案を実施するための最良の形態について詳細に説明する。
【実施例】
【００１０】
図１、２に示すように、本考案カードディスペンサーは、機構台体１、モーター２、１組の複式ギア３、伝送ローラー４、１組のコンベアローラー５１、５２を備える。
【００１１】
機構台体１は、カードストック槽１１、中隔板１２を備え、中隔板１２には、２個の側板１３、１４、及び壁板１5を結合する。
これにより、機構台体１上方には、カードストック槽１１を形成し、下方には、モーター２、複式ギア３、伝送ローラー４、及び片方のコンベアローラー５１等主要構成部品を収容することができる。
また、機構台体１は、出口端に、カードを排出するパネル１６を対応させて結合する。
しかも、２個の側板１３、１４外側にはさらに、保護蓋１７を被せて設置し、片方の側板１３と保護蓋１７との間には、複式ギア３を設置する。
【００１２】
モーター２は、機構台体１内に設置し、制御板１８を合わせてモーター２の駆動或いは停止を制御する。
モーター２の伝動軸２１は、複式ギア３の共軸ギア３１に結合し、これにより共軸ギア３１を駆動し、時計回りに回転させる。
【００１３】
１組の複式ギア３は、共軸ギア３１、及びそれぞれ両側に噛み合う第一受動ギア３２及び第二受動ギア３３により構成する。
共軸ギア３１は、直径が異なる２個のギアを備える。
２個の異なる直径を利用し、第一受動ギア３２及び第二受動ギア３３とそれぞれ噛み合う。
共軸ギア３１は、モーター２により、時計回りに駆動され、第一受動ギア３２及び第二受動ギア３３を同期に連動し、それぞれ逆時計回りに回転させる。
【００１４】
伝送ローラー４は、機構台体１の中隔板１２下方に設置し、カードストック槽１１底部の最後の一枚のカード６に適当に接触する。
複式ギア３の第一受動ギア３２により、伝送ローラー４の回転を制御し、回転時に、最後の一枚のカード６を押して前進させる。
【００１５】
１組のコンベアローラー５１、５２は、機構台体１の中隔板１２の上下両側にそれぞれ設置し、これによりカード６を挟持して押し、出口方向へと前進させる。
下方のコンベアローラー５１は、複式ギア３の第二受動ギア３３により回転を制御され、上方のコンベアローラー５２は、自由に回転する。
【００１６】
上記した構成部品により組成するカードディスペンサーは、モーター２を利用し複式ギア３を駆動し、伝送ローラー４及びコンベアローラー５１、５２を同期に連動する。
こうして、カードストック槽１１内のカード６を一枚ずつ押し出し、一枚ずつ排出する作業を完成する。
カードディスペンサーの構造組成により、そのカード排出の動作は非常に精確かつスムーズであるため、カード排出がスムーズにいかないという問題は起きず、しかも全体配置及び構成部品は共に非常にシンプルで、また組み立てが容易であるため、コストを低下させることができる。
【００１７】
機構台体１は、カードストック槽１１の底部に、可動スイングアーム１１１及び第一センサー１１２を設置する。
これにより、カード６が所定の低量に達したか、或いは使い切ったかを自動的に検知することができる。
例えば、可動スイングアーム１１１が上方へと上がり、第一センサー１１２を遮蔽しない時には(図４参照)、第一センサー１１２は、カード排出不足の検知情報を発する。
【００１８】
また、重ねて置くカード６は、カード６が軽すぎることを回避するため、カード６の重ねた面上に、ウェイト圧迫板７を適度に設置し、これによりカード６を押さえる。
【００１９】
図４に示すように、機構台体１は、カード６の排出の初期行程に、中隔板１２の中段位置にさらに、第二センサー１２１を設置する。
カード６が初期段階に第二センサー１２１を通過する時には、自動的に信号を発し、これによりモーター２は回転を停止し、カード待ちスタンバイ状態を完成する。
こうして、モーター２がカード排出の信号を受け取った後、再びモーター２を動かし、カード排出の任務を完成する。
カード排出後は、再びカード待ちのスタンバイ状態に戻る。
【００２０】
機構台体１は、カード６の排出の最終行程中において、出口孔蓋１６内側に、第三センサー１６１を設置する。
カード６が最終行程を通過する時には、コンベアローラー５１、５２により、カード６に一定距離の移動を行わせる。
こうして、カード６により第三センサー１６１を遮蔽し(図５参照)、モーター２の回転を停止させ、カード排出の作業を完成する。
【００２１】
機構台体１は、カード６のカード排出の最終行程中において、出口孔蓋１６の内側に、抵抗ブロック片１６２を設置する。
抵抗ブロック片１６２は、適当な弾性を備え、湾曲形状を呈する。
抵抗ブロック片１６２を利用し、排出を完成されたカード６を押さえることができる。
これにより、その押さえた位置とカード６出口との間には、わずかな高度落差Ｈを生じる(図６参照)。
こうして、カード６は、力を受けて押さえられる段差湾曲状態を生じるため、適当な抵抗力を自動的に発生する。
これにより、カード６は適時出口位置に留まるため、弾き出されて地面に落下することはなく、使用者が自ら抜き取るまで待つことができる。
【００２２】
カードストック槽１１は、２個の側板１３、１４及び壁板１５により構成する。
２個の側板１３、１４は共に壁縁の上、下端に、対応する係合槽１３１、１４１及びトレンチ１３２、１４２をそれぞれ設置する。
しかも、壁板１５上、下端の対応する位置には、２個の螺合ネジ１５１、及び横棒１５２をそれぞれ設置する。
横棒１５２を、両側のトレンチ１３２、１４２間に可動状に接続し、２個の螺合ネジ１５１を、２個の側板１３、１４にそれぞれ螺合して結合する。
こうして、壁板１５は、２個の側板１３、１４に簡単に可動状に結合され、必要時(メンテナンス、或いはカードの補充時)には、素手で２個の螺合ネジ１５１を外すだけで、他にまったく工具を使用せずに、壁板１５を迅速に開くことができる(図７参照)。
こうして、使用操作を簡単にし、また、壁板１５全体をしばしば開けることによる損壊、或いは遺失を回避できる。
【００２３】
また、機構台体１はさらに、カードストック槽１１の側壁に、カード排出間隙Ａを微調整できる高さ制限ガード板１１３を設置する。
高さ制限ガード板１１３は、調整ボルト１１４により、固定板１１５に固定され、調整ボルト１１４の回転により、高さ制限ガード板１１３の昇降を微調整する。
こうして、高さ制限ガード板１１３と中隔板１２との間のカード排出間隙Ａの大きさを制御することができる。
よって、各種厚み規格のカード（0.85mm、0.7mm、0.4mm或いは0.25mmなど）に対応させ、高さ制限ガード板１１３を任意に微調整し、最良のカード排出間隙Ａを得ることができる。
【００２４】
さらに、排出を完成後のカード６が引き戻される状況の発生を防止するため、本考案は、機構台体１の内部に、前方へとスイングする可動ブロック板１９を設置する。
可動ブロック板１９は、カード６が前方へ向かい通過後、自動的にブロックを形成し、これによりカード６の戻りを回避することができる。
【００２５】
機構台体１の中隔板１２の末端部分には、可動スイングアーム１１１を設置し、中段及び前段には、それぞれ開孔１２２、１２３を開設する。
さらに、伝送ローラー４及び片方のコンベアローラー５１にそれぞれ対応し、これによりカード６の伝送と排出の便を図る。
【００２６】
機構台体１には、保護蓋１７を嵌めて設置する以外に、その組合せ後にさらに、外殼体を結合することができる。
こうして、整った外観を備えるカードディスペンサーを形成する。
外殼体は、従来の技術に属するため、説明しない。
【００２７】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２８】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２９】
１      機構台体
１１１  可動スイングアーム
１１２  第一センサー
１１３  高さ制限ガード板
１１４  調整ボルト
１１５  固定板
１２    中隔板
１２１  第二センサー
１２２、１２３  開孔
１３、１４  側板
１３１、１４１  係合槽
１３２、１４２  トレンチ
１５    壁板
１５１  螺合ネジ
１５２  横棒
１６    カード排出のパネル
１６１  第三センサー
１６２  抵抗ブロック片
１７    保護蓋
１８    制御板
１９    可動ブロック板
２      モーター
２１    伝動軸
２２    カードストック槽
３      複式ギア
３１    共軸ギア
３２    第一受動ギア
３３    第二受動ギア
４      伝送ローラー
５１、５２  コンベアローラー
６      カード
７      ウェイト圧迫板
Ｈ      高度落差
Ａ      カード排出間隙
【図１】
0003177002.tif 000003
【図２】
0003177002.tif 000004
【図３】
0003177002.tif 000005
【図４】
0003177002.tif 000006
【図５】
0003177002.tif 000007
【図６】
0003177002.tif 000008
【図７】
0003177002.tif 000009